(57)【要約】【課題】  本発明はお盆等の参拝者が多い場合でも、効率よく参拝することができるとともに、参拝者が少ない場合には維持管理費の低減を図ることができる慰霊施設を得るにある。【解決手段】  少なくとも２箇所以上の参拝室と、この少なくとも２箇所以上の参拝室にそれぞれ少なくとも１箇所以上設けられた参拝口を介して位置する多数個の納骨箱を収納することができる納骨箱収納棚が設置された納骨箱保管室と、この納骨箱保管室に収納された納骨箱を前記参拝口のいずれかへ搬送できるように設けられた搬送手段と、前記少なくとも２箇所以上の参拝室の少なくとも１箇所以外の参拝室での参拝を閉鎖する参拝閉鎖手段とで慰霊施設を構成している。【選択図】  図１
2005273153.tif 000002
【特許請求の範囲】
【請求項１】
少なくとも２箇所以上の参拝室と、この少なくとも２箇所以上の参拝室にそれぞれ少なくとも１箇所以上設けられた参拝口を介して位置する多数個の納骨箱を収納することができる納骨箱収納棚が設置された納骨箱保管室と、この納骨箱保管室に収納された納骨箱を、前記参拝口のいずれかへ搬送できるように設けられた搬送手段と、前記少なくとも２箇所以上の参拝室の少なくとも１箇所以外の参拝室での参拝を閉鎖する参拝閉鎖手段とからなることを特徴とする慰霊施設。
【請求項２】
少なくとも２箇所以上のエアコン等の室内環境設備がそれぞれ設置された参拝室と、この少なくとも２箇所以上の参拝室にそれぞれ少なくとも一対以上設けられた参拝口を介して位置する多数個の納骨箱を収納することができる納骨箱収納棚が少なくとも二対以上設置された納骨箱保管室と、この納骨箱保管室に収納された納骨箱を、前記参拝口のいずれかへ搬送できるように設けられた搬送手段と、前記少なくとも2箇所以上の参拝室の少なくとも1箇所以外の参拝室での参拝を閉鎖する参拝閉鎖手段とからなることを特徴とする慰霊施設。
【請求項３】
少なくとも２箇所以上の参拝室は納骨箱保管室の一方の端部の上下部位に設けられていることを特徴とする請求項１、２いずれかに記載の慰霊施設。
【請求項４】
少なくとも２箇所以上の参拝室は納骨箱保管室の両方の端部の上下部位に設けられていることを特徴とする請求項１、２いずれかに記載の慰霊施設。
【請求項５】
搬送手段は少なくとも二対の納骨箱収納棚間にそれぞれ上下方向および前後方向に移動して、任意の納骨箱を参拝口方向あるいは所定の納骨箱収納棚へ搬送する、２個が１組の少なくとも１組以上のスッタカクレーンと、常時使用する参拝室の一対の参拝口の一方の参拝口の後部と、前記２個が１組のスタッカクレーンの一方のスタッカクレーンとの間の納骨箱の搬送を行なう第１の参拝口搬送手段と、前記常時使用する参拝室の一対の参拝口の他方の参拝口の後部あるいは前記２個のスタッカクレーンの一方のスタッカクレーンと他方のスタッカクレーンとの間の納骨箱の搬送を行なう第２の参拝口搬送手段と、常時使用しない参拝室の一対の参拝口の一方の参拝口の後部と前記２個が１組のスタッカクレーンの他方のスタッカクレーンとの間の納骨箱の搬送を行なう第３の参拝口搬送手段と、前記常時使用しない参拝室の一対の参拝口の他方の参拝口の後部と、前記２個が１組のスタッカクレーンの他方のスタッカクレーンとの間の納骨箱の搬送を行なう第４の参拝口搬送手段とで構成されていることを特徴とする請求項２、３、４いずれかに記載の慰霊施設。
【発明の詳細な説明】
【技術分野】
【０００１】
本発明は多数個の納骨箱を収納した慰霊施設に関する。
【背景技術】
【０００２】
従来の慰霊施設は多数個の納骨箱を収納保管する保管場所と、参拝するための複数個の参拝場所を有する参拝室と、納骨箱を参拝場所へ搬送する搬送装置とを有し、収納箱の保管位置をコンピューターや制御手段で管理し、参拝を望まれた納骨箱を参拝場所へ自動的に搬送するため、前記搬送装置を制御手段やコンピューター制御するように構成されている。
【０００３】
このように構成された慰霊施設は、時代の要求により参拝室にエアコン、照明、音響設備等の室内環境設備の設置が不可欠となっているが、収納保管する納骨箱が多ければ多いほど、多くの参拝場所を設置した参拝室を設けなければ、お盆等の参拝者が多い場合には参拝のための待ち時間が長くなるという欠点と、参拝室の使用の維持管理費がコスト高になるという欠点があった。
【特許文献１】特開昭５９−１９２１６５
【発明の開示】
【発明が解決しようとする課題】
【０００４】
本発明は以上のような従来の欠点に鑑み、お盆等の参拝者が多い場合でも、効率よく参拝することができるとともに、参拝者が少ない場合には維持管理費の低減を図ることができる慰霊施設を提供することを目的としている。                
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は少なくとも２箇所以上の参拝室と、この少なくとも２箇所以上の参拝室にそれぞれ少なくとも１箇所以上設けられた参拝口を介して位置する多数個の納骨箱を収納することができる納骨箱収納棚が設置された納骨箱保管室と、この納骨箱保管室に収納された納骨箱を、前記参拝口のいずれかへ搬送できるように設けられた搬送手段と、前記少なくとも２箇所以上の参拝室の少なくとも１箇所以外の参拝室での参拝を閉鎖する参拝閉鎖手段とで慰霊施設を構成している。
【０００７】
また、本発明の搬送手段は少なくとも二対の納骨箱収納棚間にそれぞれ上下方向および前後方向に移動して、任意の納骨箱を参拝口方向あるいは所定の納骨箱収納棚へ搬送する、２個が１組の少なくとも１組以上のスッタカクレーンと、常時使用する参拝室の一対の参拝口の一方の参拝口の後部と、前記２個が１組のスタッカクレーンの一方のスタッカクレーンとの間の納骨箱の搬送を行なう第１の参拝口搬送手段と、前記常時使用する参拝室の一対の参拝口の他方の参拝口の後部あるいは前記２個のスタッカクレーンの一方のスタッカクレーンと他方のスタッカクレーンとの間の納骨箱の搬送を行なう第２の参拝口搬送手段と、常時使用しない参拝室の一対の参拝口の一方の参拝口の後部と前記２個が１組のスタッカクレーンの他方のスタッカクレーンとの間の納骨箱の搬送を行なう第３の参拝口搬送手段と、前記常時使用しない参拝室の一対の参拝口の他方の参拝口の後部と、前記２個が１組のスタッカクレーンの他方のスタッカクレーンとの間の納骨箱の搬送を行なう第４の参拝口搬送手段とで構成構成している。
【発明の効果】
【０００８】
以上の説明から明らかなように、本発明にあっては次に列挙する効果が得られる。
【０００９】
（１）少なくとも２箇所以上の参拝室と、この少なくとも２箇所以上の参拝室にそれぞれ少なくとも１箇所以上設けられた参拝口を介して位置する多数個の納骨箱を収納することができる納骨箱収納棚が設置された納骨箱保管室と、この納骨箱保管室に収納された納骨箱を、前記参拝口のいずれかへ搬送できるように設けられた搬送手段と、前記少なくとも２箇所以上の参拝室の少なくとも１箇所以外の参拝室での参拝を閉鎖する参拝閉鎖手段とで構成されているので、お盆等の参拝者が多い場合には、少なくとも２箇所以上の参拝室を用いて参拝を行なうことができ、参拝者が少ない場合には少なくとも１箇所以外の参拝室を参拝閉鎖手段で閉鎖することができる。
したがって、参拝閉鎖手段で閉鎖された参拝室のエアコン等の室内環境設備や清掃作業等の維持管理費の低減を図ることができる。
【００１０】
（２）前記（１）によって、参拝者の多い場合と、少ない場合の両方に都合のよい施設を提供することができる。
【００１１】
（３）請求項２も前記（１）、（２）と同様な効果が得られる。
【００１２】
（４）請求項３、４も前記（１）、（２）と同様な効果が得られるとともに、最適状態で常時使用しない参拝室の閉鎖を行なうことができる。
【００１３】
（５）請求項５は前記（１）、（２）と同様な効果が得られるとともに、参拝室の閉鎖時に、使用している参拝室の参拝口へ効率よく納骨箱を搬送することができる。
【発明を実施するための最良の形態】
【００１４】
以下、図面に示す本発明を実施するための最良の形態により、本発明を詳細に説明する。
【００１５】
図１ないし図３に示す本発明を実施するための最良の第１の形態において、１は本発明の慰霊施設で、この慰霊施設１は少なくとも２箇所以上、本発明を実施するための形態では下部階と、この下部階の真上の上部階に位置する２個の参拝室２、２Ａと、この２個の参拝室２、２Ａをつなぐエレベーター３と、前記２個の参拝室２、２Ａをそれぞれ冷暖房するエアコン４、４Ａと、前記２個の参拝室２、２Ａにそれぞれ少なくとも１箇所以上設けられた、本発明を実施するための形態では一対の参拝口５、５Ａを介して位置する納骨箱保管室６と、この納骨箱保管室６に設置された納骨箱７を多数個収納する二対の納骨箱収納棚８、８Ａ、８Ｂ、８Ｃと、前記納骨箱保管室６に収納された納骨箱７を、前記参拝口５、５Ａ、５、５Ａのいずれかへ搬送できるように設けられた搬送手段９と、前記２箇所の参拝室２、２Ａの少なくとも１箇所の参拝室２Ａでの参拝を閉鎖する、前記エレベーター３の作動停止および閉鎖される参拝室２Ａのエアコン４Ａや照明、音響設備等の室内環境設備の停止を行なう参拝閉鎖手段１０とで構成されている。
【００１６】
前記搬送手段９は少なくとも二対の納骨箱収納棚８、８Ａおよび８Ｂ、８Ｃ間にそれぞれ上下方向および前後方向に走行移動して、任意の納骨箱７を走行方向の延長線上に配置した参拝口５、５Ａ、５、５Ａ方向あるいは所定の納骨箱収納棚８、８Ａ、８Ｂ、８Ｃへ搬送する２個が１組のスタッカクレーン１１、１１Ａと、常時使用する参拝室２の一対の参拝口５、５Ａの一方の参拝口５の後部と前記２個が１組のスタッカクレーン１１、１１Ａの一方のスタッカクレーン１１との間の納骨箱７の搬送を行なう、該スタッカクレーン１１の受渡し位置から参拝口5の後方への搬送中には搬送する納骨箱７の向きを９０度回転させ、参拝口5に納骨箱７の正面を向けて搬送供給し、参拝口5の後方からスタッカクレーン１１の受渡し位置への搬送中には前記とは逆に９０度回転させて搬送する第１の参拝口搬送手段の一部を構成するコンベヤ台車１２と、前記常時使用する参拝室２の一対の参拝口５、５Ａの他方の参拝口５Ａの後部あるいは前記２個のスタッカクレーン１１、１１Ａの一方のスタッカクレーン１１と他方のスタッカクレーン１１Ａとの間の納骨箱７の搬送を行なう、該一方のスタッカクレーン１１から他方のスタッカクレーン１１Ａの受渡し位置への搬送中には納骨箱７の向きを回転させる第２の参拝口搬送手段の一部を構成するコンベヤ台車１３と、常時は使用しない参拝室２Ａの一対の参拝口５、５Ａの一方の参拝口５の後部と前記２個が１組のスタッカクレーン１１、１１Ａの他方のスタッカクレーン１１Ａとの間の納骨箱７の搬送を行なう第３の参拝口搬送手段の一部を構成するコンベヤ台車１４と、前記常時使用しない参拝室２Ａの一対の参拝口５、５Ａの他方の参拝口５Ａの後部と前記２個が１組のスタッカクレーン１１、１１Ａの他方のスタッカクレーン１１Ａとの間の納骨箱７の搬送を行なう第４の参拝口搬送手段の一部を構成するコンベヤ台車１５と、前記二対の参拝口５、５Ａ、５、５Ａの後部と参拝口５、５Ａ、５、５Ａとの間の納骨箱７の搬送をそれぞれ行なう各参拝口搬送手段の一部を構成する渡りコンベヤ１６、１６Ａ、１６Ｂ、１６Ｃとで構成され、２個が１組のスタッカクレーン１１、１１Ａ、第１のコンベヤ台車１２、第２のコンベヤ台車１３、第３のコンベヤ台車１４、第４のコンベヤ台車１５および渡りコンベヤ１６、１６Ａ、１６Ｂ、１６Ｃはコンピューター制御でカードや番号等の入力で、該当する納骨箱７を納骨箱収納棚８、８Ａ、８Ｂ、８Ｃのいずれかから取り出し、参拝口５、５Ａ、５、５Ａへ搬送し、参拝が終了した入力で自動的に参拝口５、５Ａ、５、５Ａから元の納骨箱収納棚８、８Ａ、８Ｂ、８Ｃへ戻されるようになっている。
なお、前記納骨箱収納棚８、８Ａ、８Ｂ、８Ｃに収納される納骨箱７は該納骨箱収納棚８、８Ａと納骨箱収納棚８Ｂ、８Ｃは１８０度逆向きに格納している。
【００１７】
上記構成の慰霊施設はお盆等の参拝者が多い場合には、２個の参拝室２、２Ａを使用できるように参拝は閉鎖手段１０の閉鎖を解除して、エレベーター３やエアコン４、４Ａを使用できるようにする。
また、両方の参拝室２、２Ａを使用する場合には第３のコンベヤ台車１３はスタッカクレーン１１Ａとの搬送は制御装置によって遮断（禁止）され、スタッカクレーン１１の納骨箱７のみを搬送するようになし、参拝室２は前記納骨箱収納棚８、８Ａに収納されている納骨箱専用の参拝室となる。
このため、２個が１組のスタッカクレーン１１、１１Ａの一方のスタッカクレーン１１で搬送される一方の一対の納骨箱収納棚８、８Ａに収納された納骨箱７は一方の参拝室２での参拝、他方のスタッカクレーン１１Ａで搬送される他方の一対の納骨箱収納棚８Ｂ、８Ｃに収納された納骨箱７は、他方の参拝室２Ａでの参拝と決めておくことにより、スムーズに参拝を行なうことができる。
【００１８】
すなわち、一方のスタッカクレーン１１で搬送される一方の一対の納骨箱収納棚８、８Ａに収納された納骨箱７は、第１のコンベヤ台車１２、渡りコンベヤ１６によって一方の参拝室２の一方の参拝口５での参拝と、第２のコンベヤ台車１３、渡りコンベヤ１６Ａによって一方の参拝室２の他方の参拝口５Ａでの参拝とができる。
また、他方のスタッカクレーン１１Ａで搬送される他方の一対の納骨箱収納棚８Ｂ、８Ｃに収納された納骨箱７は、第３のコンベヤ台車１３、渡りコンベヤ１６Ｂによって他方の参拝室２Ａの一方の参拝口５での参拝と、第４のコンベヤ台車１５、渡りコンベヤ１６Ｃによって他方の参拝室２Ａの他方の参拝口５Ａでの参拝とができる。
二対の納骨箱収納棚８、８Ａ、８Ｂ、８Ｃに収納された納骨箱７の収納向きを１８０度逆向きとしたので、1台のコンベヤ台車１３で参拝口５に納骨箱７を搬送しても、納骨箱７の向き修正装置を必要とせずに、どちらの納骨箱収納棚に収納している納骨箱７も参拝口５に正面を向けて供給することができる。
参拝口５、５Ａをスタッカクレーン１１、１１Ａの走行方向延長線上に配置したので、参拝室２、２Ａの参拝口５、５Ａの配置に偏りがなく適切な参拝室２、２Ａのレイアウトにできる。  
【００１９】
参拝者が少ない場合には、参拝閉鎖手段１０によって他方の参拝室２Ａへのエレベーター３やエアコン４Ａ等の室内環境設備を使用できなくする。
このため、参拝者は一方の参拝室２だけの使用となる。
この場合、一方のスタッカクレーン１１で搬送される一方の一対の納骨箱収納棚８、８Ａに収納された納骨箱７は第１のコンベヤ台車１２、渡りコンベヤ１６によって一方の参拝室２の一方の参拝口５での参拝と、第２のコンベヤ台車１３、渡りコンベヤ１６Ａによって一方の参拝室２の他方の参拝口５Ａでの参拝ができる。
また、他方のスタッカクレーン１１Ａで搬送される他方の一対の納骨箱収納棚８Ｂ、８Ｃに収納された納骨箱７は、第２のコンベヤ台車１３、渡りコンベヤ１６Ａによって一方の参拝室２の他方の参拝口５Ａでの参拝と、第２のコンベヤ台車１３、一方のスタッカクレーン１１、第１のコンベヤ台車１２、渡りコンベヤ１６によって一方の参拝室２の一方の参拝口５での参拝とができる。
ただし、第２のコンベヤ台車１３は一方のスタッカクレーン１１との受渡しを  
遮断（禁止）して、一方の一対の納骨箱収納棚８、８Ａは一方の参拝口５で、他方の一対の納骨箱収納棚８Ｂ、８Ｃは他方の参拝口５Ａでそれぞれ参拝するようにした方が、参拝者の混乱もなく、制御的にも簡素に出来るので好ましい。
{発明を実施するための異なる形態}
【００２０】
次に、図４ないし図１２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図４ないし図６に示す本発明を実施するための第２の形態において、前記本発明を実施するための最良の第１の形態と主に異なる点は、２組のスタッカクレーン１１、１１Ａ、１１、１１Ａを設置した納骨箱保管室６Ａと、４個の参拝口５、５Ａ、５、５Ａがそれぞれ設けられた２個の参拝室２、２Ａとを設けた点で、このように構成した慰霊施設１Ａにしても、前記本発明を実施するための最良の第１の形態と同様な作用効果が得られる。
なお、本発明を実施するための第２の形態では２組のスタッカクレーン１１、１１Ａ、１１、１１Ａを設置した納骨箱保管室６Ａを用いるものについて説明したが、本発明はこれに限らず３組、４組のスタッカクレーンを並列状態で設置した納骨箱保管室６Ａを用いるとともに、６個、８個の参拝口がそれぞれ設けられた２個の参拝室にしても同様な作用効果がえられる。
【００２２】
図７ないし図９に示す本発明を実施するための第３の形態において、前記本発明を実施するための第２の形態と主に異なる点は、施錠１７ができる開閉扉１８を備えた一方の参拝室２と他方の参拝室２Ａとを接続する階段１９を参拝閉鎖手段１０Ａとした点で、このような参拝閉鎖手段１０Ａを用いて構成した慰霊施設１Ｂにしても、前記本発明を実施するための第２の形態と同様な作用効果が得られる。
【００２３】
図１０ないし図１２に示す本発明を実施するための第４の形態において、前記本発明を実施するための第２の形態と主に異なる点は、納骨箱保管室６Ａの両方の端部の上下部位に第１、第２の一方の参拝室２、２と、第３、第４の他方の参拝室２Ａ、２Ａを設置し、第２の一方の参拝室２、第３、第４の他方の参拝室２Ａ、２Ａのすべてあるいはこれらの一部を参拝閉鎖手段１０で閉鎖できるようにした点で、このように構成した慰霊施設１Ｃにしても、前記本発明を実施するための第２の形態と同様な作用効果が得られる。
【００２４】
なお、前記本発明を実施するための各形態では、コンベヤ台車や渡りコンベヤを用いた各参拝口搬送手段について説明したが、本発明はこれに限らず、参拝口とスタッカクレーンとの間で納骨箱を搬送できるものであれば、どんな搬送手段を用いてもよい。
【産業上の利用可能性】
【００２５】
本発明は多数個の納骨箱を収納した慰霊施設を設置する産業および、該慰霊施設の設備を製造する産業で利用される。
【図面の簡単な説明】
【００２６】
【図１】本発明を実施するための最良の第１の形態の概略縦断面図。
【図２】図１の２−２線に沿う断面図。
【図３】図１の３−３線に沿う断面図。
【図４】本発明を実施するための第２の形態の概略縦断面図。
【図５】図４の５−５線に沿う断面図。
【図６】図４の６−６線に沿う断面図。
【図７】本発明を実施するための第３の形態の概略縦断面図。
【図８】図７の８−８線に沿う断面図。
【図９】図７の９−９線に沿う断面図。
【図１０】本発明を実施するための第４の形態の概略縦断面図。
【図１１】図１１の１０−１０線に沿う断面図。
【図１２】図１１の１２−１２線に沿う断面図。
【符号の説明】
【００２７】
１、１Ａ、１Ｂ、１Ｃ：慰霊施設、
２、２Ａ：参拝室、            ３：エレベーター、            
４、４Ａ：エアコン、          ５、５Ａ：参拝口、
６、６Ａ：納骨箱保管室、      ７：納骨箱、
８、８Ａ、８Ｂ、８Ｃ：納骨箱収納棚、
９：搬送手段、                １０、１０Ａ：参拝閉鎖手段、
１１、１１Ａ：スタッカクレーン、
１２：第１の参拝口搬送手段の一部を構成するコンベヤ台車、
１３：第２の参拝口搬送手段の一部を構成するコンベヤ台車、
１４：第３の参拝口搬送手段の一部を構成するコンベヤ台車、
１５：第４の参拝口搬送手段の一部を構成するコンベヤ台車、
１６、１６Ａ、１６Ｂ、１６Ｃ：渡りコンベヤ、
１７：施錠、                  １８：開閉扉、
１９：階段。
【図１】
2005273153.tif 000003
【図２】
2005273153.tif 000004
【図３】
2005273153.tif 000005
【図４】
2005273153.tif 000006
【図５】
2005273153.tif 000007
【図６】
2005273153.tif 000008
【図７】
2005273153.tif 000009
【図８】
2005273153.tif 000010
【図９】
2005273153.tif 000011
【図１０】
2005273153.tif 000012
【図１１】
2005273153.tif 000013
【図１２】
2005273153.tif 000014